(57)【要約】      （修正有）【課題】カメラ機器の構成部品が個別に盗難されることを防止する。【解決手段】レンズユニットの不揮発性メモリにカメラＩＤまたはメディアＩＤが記録されていれば、受信したカメラＩＤまたはメディアＩＤと照合する（Ｓ４、Ｓ８）。そして、記録されたカメラＩＤと受信したカメラＩＤとが一致すれば、受信したメディアＩＤを不揮発性メモリに追加記録し（Ｓ６）、操作可能状態へ遷移する。記録されたメディアＩＤと受信したメディアＩＤとが一致すれば、受信したカメラＩＤを不揮発性メモリに追加記録し（Ｓ９）、操作可能状態へ遷移する。記録されたカメラＩＤと受信したカメラＩＤとが一致せず、かつ記録されたメディアＩＤと受信したメディアＩＤとが一致しなければ（Ｓ４で不一致、Ｓ８で不一致）、操作禁止状態へ遷移する。【選択図】  図４
2007134908.tif 000002
【特許請求の範囲】
【請求項１】
少なくとも不揮発性記録媒体の内蔵された第１ないし第３の電子部品が電気的に接続されてなる電子機器で用いられる盗難防止用制御方法であって、
第１の電子部品の不揮発性記録媒体に第２の電子部品または第３の電子部品の識別情報が記録されていなければ、第１の電子部品の不揮発性記録媒体に第２の電子部品または第３の電子部品の識別情報を記録し、
第１の電子部品の不揮発性記録媒体に第２の電子部品または第３の電子部品の識別情報が記録されていれば、第１の電子部品は、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品の識別情報と、読み出された第２の電子部品の識別情報または第３の電子部品の識別情報とが一致するか否かを判断し、
第１の電子部品の不揮発性記録媒体に記録された第２の電子部品の識別情報と読み出された第２の電子部品の識別情報とが一致するかまたは第１の電子部品の不揮発性記録媒体に記録された第３の電子部品の識別情報と読み出された第３の電子部品の識別情報とが一致する場合は、第１の電子部品の通常動作を許可し、
第１の電子部品の不揮発性記録媒体に記録された第２の電子部品の識別情報と読み出された第２の電子部品の識別情報とが一致せずかつ第１の電子部品の不揮発性記録媒体に記録された第３の電子部品の識別情報と読み出された第３の電子部品の識別情報とが一致しない場合は、第１の電子部品の通常動作を禁止する盗難防止用制御方法。
【請求項２】
前記第１の電子部品はレンズユニット、前記第２の電子部品はカメラ本体、前記第３の電子部品は可搬性記録媒体またはパソコンである請求項１に記載の盗難防止用制御方法。
【請求項３】
少なくとも不揮発性記録媒体の内蔵された第１ないし第２の電子部品が電気的に接続されかつ第２の電子部品に生体認証情報読取装置が設けられてなる電子機器で用いられる盗難防止用制御方法であって、
第１の電子部品の不揮発性記録媒体に第２の電子部品の識別情報が記録されていなければ、第１の電子部品は、第２の電子部品の識別情報を読み出して記録し、
第１の電子部品の不揮発性記録媒体に第２の電子部品の識別情報が記録されていれば、第２の電子部品から第２の電子部品の識別情報を読み出し、第１の電子部品の不揮発性記録媒体に記録された第２の電子部品の識別情報と読み出された第２の電子部品の識別情報とが一致するか否かを判断し、
第１の電子部品の不揮発性記録媒体に記録された第２の電子部品の識別情報と読み出された第２の電子部品の識別情報とが一致する場合は、第１の電子部品の通常動作を許可し、
第１の電子部品の不揮発性記録媒体に記録された第２の電子部品の識別情報と読み出された第２の電子部品の識別情報とが一致しない場合は、第１の電子部品は、第２の電子部品に設けられた生体認証情報読取装置により生体認証情報を読み取って送信するよう第２の電子部品に要求し、第１の電子部品の不揮発性記録媒体に記録された生体認証情報と第２の電子部品から受信した生体認証情報とが一致するか否かを判断し、両者が一致する場合は第１の電子部品の通常動作を許可し、両者が一致しない場合は生体認証情報読取装置による生体認証情報の読み取りを繰り返すかまたは第１の電子部品の通常動作を禁止する盗難防止用制御方法。
【請求項４】
第１の電子部品の不揮発性記録媒体に生体認証情報が記録されていない場合または第１の電子部品の不揮発性記録媒体に記録された第２の電子部品の識別情報と読み出された第２の電子部品の識別情報とが一致する場合、第２の電子部品に設けられた生体認証情報読取装置により生体認証情報を読み取って送信するよう要求し、第２の電子部品から受信した生体認証情報を第１の電子部品の不揮発性記録媒体に記録する請求項３に記載の盗難防止用制御方法。
【請求項５】
少なくとも不揮発性記録媒体の内蔵された第１ないし第２の電子部品が電気的に接続されかつ第２の電子部品に生体認証情報読取装置が設けられてなる電子機器で用いられる盗難防止用制御方法であって、
第１の電子部品は、第２の電子部品に設けられた生体認証情報読取装置により生体認証情報を読み取って送信するよう要求し、第１の電子部品の不揮発性記録媒体に記録された生体認証情報と生体認証情報読取装置により読み取られた生体認証情報とが一致するか否かを判断し、両者が一致する場合は第２の電子部品の識別情報を読み出して第１の電子部品の不揮発性記録媒体に記録し、両者が一致しない場合は第２の電子部品の識別情報を読み出して第１の電子部品の不揮発性記録媒体に記録された第２の電子部品の識別情報と一致するか否かを判断し、両者が一致する場合は生体認証情報読取装置により読み取られた生体認証情報を第１の電子部品の不揮発性記録媒体に記録する盗難防止用制御方法。
【請求項６】
前記第１の電子部品はレンズユニット、前記第２の電子部品はカメラ本体である請求項３〜５のいずれかに記載の盗難防止用制御方法。
【請求項７】
少なくとも不揮発性記録媒体の内蔵された第１ないし第３の電子部品が電気的に接続されてなる電子機器で用いられる盗難防止方法であって、
第１の電子部品の不揮発性記録媒体に第２の電子部品または第３の電子部品の識別情報が記録されていなければ、第１の電子部品は第２の電子部品または第３の電子部品の識別情報を記録し、
第１の電子部品の不揮発性記録媒体に第２の電子部品または第３の電子部品の識別情報が記録されていれば、第２の電子部品または第３の電子部品から第２の電子部品の識別情報または第３の電子部品の識別情報を読み出し、
第１の電子部品の不揮発性記録媒体に記録された第２の電子部品の識別情報または第３の電子部品と、読み出された第２の電子部品の識別情報または第３の電子部品とが一致するか否かを判断し、
第１の電子部品の不揮発性記録媒体に記録された第２の電子部品の識別情報と読み出された第２の電子部品の識別情報とが一致する場合は、第１の電子部品の不揮発性記録媒体に記録された第２の電子部品の識別情報に対応づけて記録されている日時を現在日時に更新して記録するとともに第１の電子部品の通常動作を許可し、
第１の電子部品の不揮発性記録媒体に記録された第３の電子部品の識別情報と読み出された第３の電子部品の識別情報とが一致する場合は、第１の電子部品の不揮発性記録媒体に記録された第３の電子部品の識別情報に対応づけて記録されている日時を現在日時に更新して記録するとともに第１の電子部品の通常動作を許可し、
第１の電子部品の不揮発性記録媒体に記録された第２の電子部品の識別情報と読み出された第２の電子部品の識別情報とが一致しない場合は、第１の電子部品の不揮発性記録媒体に記録された第２の電子部品の識別情報に対応づけられて記録されている日時と現在日時との差が所定期間以上であるか否かを判断し、所定期間以上の差がある場合は第１の電子部品の通常動作を禁止し、所定期間以上の差がない場合は第１の電子部品の通常動作を許可し、
第１の電子部品の不揮発性記録媒体に記録された第３の電子部品の識別情報と読み出された第３の電子部品の識別情報とが一致しない場合は、第１の電子部品の不揮発性記録媒体に記録された第３の電子部品の識別情報に対応づけられて記録されている日時と現在日時の差が所定期間以上であるか否かを判断し、所定期間以上の差がある場合は第１の電子部品の通常動作を禁止し、所定期間以上の差がない場合は第１の電子部品の通常動作を許可する盗難防止用制御方法。
【請求項８】
前記第１の電子部品はカメラ本体、前記第２の電子部品はレンズユニット、前記第３の電子部品はパソコンである請求項１に記載の盗難防止用制御方法。
【請求項９】
少なくとも不揮発性記録媒体の内蔵された第１ないし第３の電子部品が電気的に接続されてなる電子機器であって、
第１の電子部品の不揮発性記録媒体に第２の電子部品または第３の電子部品の識別情報が記録されていなければ、第１の電子部品の不揮発性記録媒体に第２の電子部品または第３の電子部品の識別情報を記録し、
第１の電子部品の不揮発性記録媒体に第２の電子部品または第３の電子部品の識別情報が記録されていれば、第１の電子部品は、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品の識別情報と、読み出された第２の電子部品の識別情報または第３の電子部品の識別情報とが一致するか否かを判断し、
第１の電子部品の不揮発性記録媒体に記録された第２の電子部品の識別情報と読み出された第２の電子部品の識別情報とが一致するかまたは第１の電子部品の不揮発性記録媒体に記録された第３の電子部品の識別情報と読み出された第３の電子部品の識別情報とが一致する場合は、第１の電子部品の通常動作を許可し、
第１の電子部品の不揮発性記録媒体に記録された第２の電子部品の識別情報と読み出された第２の電子部品の識別情報とが一致せずかつ第１の電子部品の不揮発性記録媒体に記録された第３の電子部品の識別情報と読み出された第３の電子部品の識別情報とが一致しない場合は、第１の電子部品の通常動作を禁止する電子機器。
【請求項１０】
少なくとも不揮発性記録媒体の内蔵された第１ないし第２の電子部品が電気的に接続されかつ第２の電子部品に生体認証情報読取装置が設けられてなる電子機器であって、
第１の電子部品の不揮発性記録媒体に第２の電子部品の識別情報および生体認証情報が記録されていなければ、第１の電子部品は、第２の電子部品の識別情報を読み出して記録し、
第１の電子部品の不揮発性記録媒体に第２の電子部品の識別情報が記録されていれば、第２の電子部品から第２の電子部品の識別情報を読み出し、第１の電子部品の不揮発性記録媒体に記録された第２の電子部品の識別情報と読み出された第２の電子部品の識別情報とが一致するか否かを判断し、
第１の電子部品の不揮発性記録媒体に記録された第２の電子部品の識別情報と読み出された第２の電子部品の識別情報とが一致する場合は、第１の電子部品の通常動作を許可し、
第１の電子部品の不揮発性記録媒体に記録された第２の電子部品の識別情報と読み出された第２の電子部品の識別情報とが一致しない場合は、第１の電子部品は、第２の電子部品に設けられた生体認証情報読取装置により生体認証情報を読み取って送信するよう第２の電子部品に要求し、第１の電子部品の不揮発性記録媒体に記録された生体認証情報と第２の電子部品から受信した生体認証情報とが一致するか否かを判断し、両者が一致する場合は第１の電子部品の通常動作を許可し、両者が一致しない場合は生体認証情報読取装置による生体認証情報の読み取りを繰り返すかまたは第１の電子部品の通常動作を禁止する電子機器。
【請求項１１】
少なくとも不揮発性記録媒体の内蔵された第１ないし第２の電子部品が電気的に接続されかつ第２の電子部品に生体認証情報読取装置が設けられてなる電子機器であって、
第１の電子部品は、第２の電子部品に設けられた生体認証情報読取装置により生体認証情報を読み取って送信するよう要求し、第１の電子部品の不揮発性記録媒体に記録された生体認証情報と生体認証情報読取装置により読み取られた生体認証情報とが一致するか否かを判断し、両者が一致する場合は第２の電子部品の識別情報を読み出して第１の電子部品の不揮発性記録媒体に記録し、両者が一致しない場合は第２の電子部品の識別情報を読み出して第１の電子部品の不揮発性記録媒体に記録された第２の電子部品の識別情報と一致するか否かを判断し、両者が一致する場合は生体認証情報読取装置により読み取られた生体認証情報を第１の電子部品の不揮発性記録媒体に記録する電子機器。
【請求項１２】
少なくとも不揮発性記録媒体の内蔵された第１ないし第３の電子部品が電気的に接続されてなる電子機器であって、
第１の電子部品の不揮発性記録媒体に第２の電子部品または第３の電子部品の識別情報が記録されていなければ、第１の電子部品は第２の電子部品または第３の電子部品の識別情報を記録し、
第１の電子部品の不揮発性記録媒体に第２の電子部品または第３の電子部品の識別情報が記録されていれば、第２の電子部品または第３の電子部品から第２の電子部品の識別情報または第３の電子部品の識別情報を読み出し、
第１の電子部品の不揮発性記録媒体に記録された第２の電子部品の識別情報または第３の電子部品と、読み出された第２の電子部品の識別情報または第３の電子部品とが一致するか否かを判断し、
第１の電子部品の不揮発性記録媒体に記録された第２の電子部品の識別情報と読み出された第２の電子部品の識別情報とが一致する場合は、第１の電子部品の不揮発性記録媒体に記録された第２の電子部品の識別情報に対応づけて記録されている日時を現在日時に更新して記録するとともに第１の電子部品の通常動作を許可し、
第１の電子部品の不揮発性記録媒体に記録された第３の電子部品の識別情報と読み出された第３の電子部品の識別情報とが一致する場合は、第１の電子部品の不揮発性記録媒体に記録された第３の電子部品の識別情報に対応づけて記録されている日時を現在日時に更新して記録するとともに第１の電子部品の通常動作を許可し、
第１の電子部品の不揮発性記録媒体に記録された第２の電子部品の識別情報と読み出された第２の電子部品の識別情報とが一致しない場合は、第１の電子部品の不揮発性記録媒体に記録された第２の電子部品の識別情報に対応づけられて記録されている日時と現在日時との差が所定期間以上であるか否かを判断し、所定期間以上の差がある場合は第１の電子部品の通常動作を禁止し、所定期間以上の差がない場合は第１の電子部品の通常動作を許可し、
第１の電子部品の不揮発性記録媒体に記録された第３の電子部品の識別情報と読み出された第３の電子部品の識別情報とが一致しない場合は、第１の電子部品の不揮発性記録媒体に記録された第３の電子部品の識別情報に対応づけられて記録されている日時と現在日時の差が所定期間以上であるか否かを判断し、所定期間以上の差がある場合は第１の電子部品の通常動作を禁止し、所定期間以上の差がない場合は第１の電子部品の通常動作を許可する電子機器。
【発明の詳細な説明】
【技術分野】
【０００１】
本発明は複数の電子部品からなる電子機器の部品盗難を防止する技術に関する。
【背景技術】
【０００２】
従来、カメラの盗難防止に関する技術が様々開発されている。例えば特許文献１によると、所定の識別情報がデジタル撮像光学系及びエリアセンサによって入力され、上記識別情報と関連付けて参照される参照情報がその他のスイッチによって入力される。参照情報は、ＥＥＰＲＯＭに複数記憶され、識別情報と参照情報とがシーケンス・コントローラで照合されて、これらの情報が一致するか否かが判別される。この判別結果に基づいて、カメラの動作が決定される。これにより、使用者が複数であっても情報の登録や入力が煩雑にならず使い勝手のよいカメラを提供することができる。
【０００３】
また特許文献２によると、パスワードを記憶するパスワード設定部と、カメラの電源投入時にパスワードの入力を受付けるタッチパネル及びタッチ入力制御回路と、入力されたパスワードと上記記憶内容との一致を判断し、一致したと判断した場合にのみカメラを動作させるシステムコントローラとを備える。これにより、本来の使用者以外が使用することができず、この点を他の者に認知させることで無意味な盗難を回避できる。
【０００４】
また特許文献３によると、カメラ外装の一部に、文字等を入力するためのスイッチパネル及び入力された文字列等を表示するための液晶表示装置を設け、スイッチパネルを用いてユーザ名を入力し、電源スイッチがオンしているとき又は常時液晶表示装置に日付と共にユーザ名を表示する。これにより、カメラユーザに、自己の所有物であるという満足感を与え、かつ盗難等を防止できる。
【０００５】
また特許文献４によると、デジタルカメラのＣＰＵ内にはセキュリティ部が備えられている。デジタルカメラの電源が入れられると制御部によって撮影部への制御信号の送り出しを禁止して撮影機能を不能にする。判定部ではスマートメディアに記録されているパスワードを読み出し、フラッシュメモリ内に予め記憶されているパスワードと比較、判定を行う。フラッシュメモリ内のパスワードとスマートメディア内のパスワードとが一致したときに制御部によって不能にされた撮影機能を回復させる。これにより、デジタルカメラの盗難やいたずらを防止できる。
【特許文献１】特開２００１−２０１７７９号公報
【特許文献２】特開２００１−１６４９７号公報
【特許文献３】特開平１１−７０７２号公報
【特許文献４】特開２００４−１５３４３０号公報
【発明の開示】
【発明が解決しようとする課題】
【０００６】
ところで近年、カメラ本体とレンズユニットを別体で販売し、カメラ本体にレンズユニットを装着して使用させる商品形態が提案されている。この場合、レンズユニットやカメラ本体だけが単独で盗難されるおそれがあるが、上記特許文献１〜４では、そのような盗難に対処することができない。本発明はこのような問題点に鑑みてなされたもので、カメラ機器の構成部品が個別に盗難されることを防止する技術を提供する。
【課題を解決するための手段】
【０００７】
上記課題を解決するため、本発明は、少なくとも不揮発性記録媒体の内蔵された第１ないし第３の電子部品が電気的に接続されてなる電子機器で用いられる盗難防止用制御方法を提供する。この方法において、第１の電子部品の不揮発性記録媒体に第２の電子部品または第３の電子部品の識別情報が記録されていなければ、第１の電子部品の不揮発性記録媒体に第２の電子部品または第３の電子部品の識別情報を記録し、第１の電子部品の不揮発性記録媒体に第２の電子部品または第３の電子部品の識別情報が記録されていれば、第１の電子部品は、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品の識別情報と、読み出された第２の電子部品の識別情報または第３の電子部品の識別情報とが一致するか否かを判断し、第１の電子部品の不揮発性記録媒体に記録された第２の電子部品の識別情報と読み出された第２の電子部品の識別情報とが一致するかまたは第１の電子部品の不揮発性記録媒体に記録された第３の電子部品の識別情報と読み出された第３の電子部品の識別情報とが一致する場合は、第１の電子部品の通常動作を許可し、第１の電子部品の不揮発性記録媒体に記録された第２の電子部品の識別情報と読み出された第２の電子部品の識別情報とが一致せずかつ第１の電子部品の不揮発性記録媒体に記録された第３の電子部品の識別情報と読み出された第３の電子部品の識別情報とが一致しない場合は、第１の電子部品の通常動作を禁止することを含む。
【０００８】
こうすると、第１の電子部品が盗難されても、第２の電子部品または第３の電子部品がないと、第１の電子部品が動作せず、電子機器として使用できない。このため、第１の電子部品の盗難と盗難した第１の電子部品の不正使用を防止できる。換言すると、第２の電子部品または第３の電子部品があれば、第１の電子部品の使用の正当性を認証でき、正当なユーザがいちいち認証用コードを入力する必要もない。また、第１の電子部品を新たに購入した場合など第１の電子部品を初めて第２の電子部品または第３の電子部品に接続すると、第１の電子部品には、第２の電子部品または第３の電子部品の識別情報が記録され、以後、その識別情報に基づいて認証が行われる。このため、新規接続時においても、いちいちユーザが識別情報を登録したりする作業は必要ない。
【０００９】
一例として、第１の電子部品はレンズユニット、第２の電子部品はカメラ本体、第３の電子部品は可搬性記録媒体またはパソコンである。
【００１０】
ただし、本発明は、カメラ機器に限らず、３つ以上の電子部品からなる各種電子機器に適用可能である。
【００１１】
レンズユニットのみが盗難されて他のカメラ本体に接続しても動作しないため、ユーザは、暗証番号を用いなくても、レンズユニットをカメラ本体または可搬性記録媒体によってロックすることができる。
【００１２】
また、上記課題を解決するため、本発明は、少なくとも不揮発性記録媒体の内蔵された第１ないし第２の電子部品が電気的に接続されかつ第２の電子部品に生体認証情報読取装置が設けられてなる電子機器で用いられる盗難防止用制御方法を提供する。この方法において、第１の電子部品の不揮発性記録媒体に第２の電子部品の識別情報が記録されていなければ、第１の電子部品は、第２の電子部品の識別情報を読み出して記録し、第１の電子部品の不揮発性記録媒体に第２の電子部品の識別情報が記録されていれば、第２の電子部品から第２の電子部品の識別情報を読み出し、第１の電子部品の不揮発性記録媒体に記録された第２の電子部品の識別情報と読み出された第２の電子部品の識別情報とが一致するか否かを判断し、第１の電子部品の不揮発性記録媒体に記録された第２の電子部品の識別情報と読み出された第２の電子部品の識別情報とが一致する場合は、第１の電子部品の通常動作を許可し、第１の電子部品の不揮発性記録媒体に記録された第２の電子部品の識別情報と読み出された第２の電子部品の識別情報とが一致しない場合は、第１の電子部品は、第２の電子部品に設けられた生体認証情報読取装置により生体認証情報を読み取って送信するよう第２の電子部品に要求し、第１の電子部品の不揮発性記録媒体に記録された生体認証情報と第２の電子部品から受信した生体認証情報とが一致するか否かを判断し、両者が一致する場合は第１の電子部品の通常動作を許可し、両者が一致しない場合は生体認証情報読取装置による生体認証情報の読み取りを繰り返すかまたは第１の電子部品の通常動作を禁止する。
【００１３】
こうすると、第１の電子部品のみが盗難されて他の第２の電子部品に接続しても使用できない。すなわち、ユーザは、第１の電子部品を第２の電子部品または生体認証情報によってロックすることができる。
【００１４】
生体認証情報の読取は第２の電子部品の識別情報の照合が失敗した場合に初めて行われるから、常に生体認証情報を読み取らせる必要はなく、認証操作の煩わしさが軽減される。第２の電子部品の種類は何でもよく、単数であっても複数であってもよい。
【００１５】
第１の電子部品の不揮発性記録媒体に生体認証情報が記録されていない場合または第１の電子部品の不揮発性記録媒体に記録された第２の電子部品の識別情報と読み出された第２の電子部品の識別情報とが一致する場合、第２の電子部品に設けられた生体認証情報読取装置により生体認証情報を読み取って送信するよう要求し、第２の電子部品から受信した生体認証情報を第１の電子部品の不揮発性記録媒体に記録してもよい。
【００１６】
生体認証情報を第１の電子部品に新規に記録するか追加記録したい場合は、第１の電子部品にすでに記録されている識別情報を有する第２の電子部品を接続すればよい。
【００１７】
また、上記課題を解決するため、本発明は、少なくとも不揮発性記録媒体の内蔵された第１ないし第２の電子部品が電気的に接続されかつ第２の電子部品に生体認証情報読取装置が設けられてなる電子機器で用いられる盗難防止用制御方法を提供する。この方法において、第１の電子部品は、第２の電子部品に設けられた生体認証情報読取装置により生体認証情報を読み取って送信するよう要求し、第１の電子部品の不揮発性記録媒体に記録された生体認証情報と生体認証情報読取装置により読み取られた生体認証情報とが一致するか否かを判断し、両者が一致する場合は第２の電子部品の識別情報を読み出して第１の電子部品の不揮発性記録媒体に記録し、両者が一致しない場合は第２の電子部品の識別情報を読み出して第１の電子部品の不揮発性記録媒体に記録された第２の電子部品の識別情報と一致するか否かを判断し、両者が一致する場合は生体認証情報読取装置により読み取られた生体認証情報を第１の電子部品の不揮発性記録媒体に記録する。
【００１８】
生体認証情報を第１の電子部品に新規に記録するか追加記録したい場合は、第１の電子部品にすでに記録されている識別情報を有する第２の電子部品を接続すればよい。あるいは、第２の電子部品の識別情報を新規に第１の電子部品に登録するか追加記録したい場合は、第１の電子部品にすでに記録されている生体認証情報を読み取らせればよい。
【００１９】
一例として、第１の電子部品はレンズユニット、第２の電子部品はカメラ本体である。
【００２０】
ただし、本発明はカメラ機器に限らず、２つ以上の電子部品からなる各種電子機器に適用可能である。
【００２１】
また、上記課題を解決するため、本発明は、少なくとも不揮発性記録媒体の内蔵された第１ないし第３の電子部品が電気的に接続されてなる電子機器で用いられる盗難防止方法を提供する。この方法において、第１の電子部品の不揮発性記録媒体に第２の電子部品または第３の電子部品の識別情報が記録されていなければ、第１の電子部品は第２の電子部品または第３の電子部品の識別情報を記録し、第１の電子部品の不揮発性記録媒体に第２の電子部品または第３の電子部品の識別情報が記録されていれば、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品と、読み出された第２の電子部品の識別情報または第３の電子部品とが一致するか否かを判断し、第１の電子部品の不揮発性記録媒体に記録された第２の電子部品の識別情報と読み出された第２の電子部品の識別情報とが一致する場合は、第１の電子部品の不揮発性記録媒体に記録された第２の電子部品の識別情報に対応づけて記録されている日時を現在日時に更新して記録するとともに第１の電子部品の通常動作を許可し、第１の電子部品の不揮発性記録媒体に記録された第３の電子部品の識別情報と読み出された第３の電子部品の識別情報とが一致する場合は、第１の電子部品の不揮発性記録媒体に記録された第３の電子部品の識別情報に対応づけて記録されている日時を現在日時に更新して記録するとともに第１の電子部品の通常動作を許可し、第１の電子部品の不揮発性記録媒体に記録された第２の電子部品の識別情報と読み出された第２の電子部品の識別情報とが一致しない場合は、第１の電子部品の不揮発性記録媒体に記録された第２の電子部品の識別情報に対応づけられて記録されている日時と現在日時との差が所定期間以上であるか否かを判断し、所定期間以上の差がある場合は第１の電子部品の通常動作を禁止し、所定期間以上の差がない場合は第１の電子部品の通常動作を許可し、第１の電子部品の不揮発性記録媒体に記録された第３の電子部品の識別情報と読み出された第３の電子部品の識別情報とが一致しない場合は、第１の電子部品の不揮発性記録媒体に記録された第３の電子部品の識別情報に対応づけられて記録されている日時と現在日時の差が所定期間以上であるか否かを判断し、所定期間以上の差がある場合は第１の電子部品の通常動作を禁止し、所定期間以上の差がない場合は第１の電子部品の通常動作を許可する。
【００２２】
すなわち、第１の電子部品のみが盗難されて当初接続されたものとは別の第２の電子部品または第３の電子部品に接続された場合、第１の電子部品に記録された日時と現在日時との差が所定期間以上であれば動作せず、第１の電子部品の盗難防止に役立つ。
【００２３】
かつ、第１の電子部品のみが第３者に正当に貸与されて他の第２の電子部品または第３の電子部品に接続された場合、第１の電子部品に記録された日時と現在日時との差が所定期間未満であれば動作するため、第１の電子部品を一時的に貸与することもできる。
【００２４】
一例として、第１の電子部品はカメラ本体、第２の電子部品はレンズユニット、第３の電子部品はパソコンである。
【００２５】
すなわち、ユーザは、暗証番号をいちいち手入力しなくても、自分のパソコンを接続するだけで第１の電子部品を認証することができる。
【００２６】
また、上記課題を解決するため、本発明は、少なくとも不揮発性記録媒体の内蔵された第１ないし第３の電子部品が電気的に接続されてなる電子機器において、第１の電子部品の不揮発性記録媒体に第２の電子部品または第３の電子部品の識別情報が記録されていなければ、第１の電子部品の不揮発性記録媒体に第２の電子部品または第３の電子部品の識別情報を記録し、第１の電子部品の不揮発性記録媒体に第２の電子部品または第３の電子部品の識別情報が記録されていれば、第１の電子部品は、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品の識別情報と、読み出された第２の電子部品の識別情報または第３の電子部品の識別情報とが一致するか否かを判断し、第１の電子部品の不揮発性記録媒体に記録された第２の電子部品の識別情報と読み出された第２の電子部品の識別情報とが一致するかまたは第１の電子部品の不揮発性記録媒体に記録された第３の電子部品の識別情報と読み出された第３の電子部品の識別情報とが一致する場合は、第１の電子部品の通常動作を許可し、第１の電子部品の不揮発性記録媒体に記録された第２の電子部品の識別情報と読み出された第２の電子部品の識別情報とが一致せずかつ第１の電子部品の不揮発性記録媒体に記録された第３の電子部品の識別情報と読み出された第３の電子部品の識別情報とが一致しない場合は、第１の電子部品の通常動作を禁止する。
【００２７】
また、上記課題を解決するため、本発明は、少なくとも不揮発性記録媒体の内蔵された第１ないし第２の電子部品が電気的に接続されかつ第２の電子部品に生体認証情報読取装置が設けられてなる電子機器において、第１の電子部品の不揮発性記録媒体に第２の電子部品の識別情報および生体認証情報が記録されていなければ、第１の電子部品は、第２の電子部品の識別情報を読み出して記録し、第１の電子部品の不揮発性記録媒体に第２の電子部品の識別情報が記録されていれば、第２の電子部品から第２の電子部品の識別情報を読み出し、第１の電子部品の不揮発性記録媒体に記録された第２の電子部品の識別情報と読み出された第２の電子部品の識別情報とが一致するか否かを判断し、第１の電子部品の不揮発性記録媒体に記録された第２の電子部品の識別情報と読み出された第２の電子部品の識別情報とが一致する場合は、第１の電子部品の通常動作を許可し、第１の電子部品の不揮発性記録媒体に記録された第２の電子部品の識別情報と読み出された第２の電子部品の識別情報とが一致しない場合は、第１の電子部品は、第２の電子部品に設けられた生体認証情報読取装置により生体認証情報を読み取って送信するよう第２の電子部品に要求し、第１の電子部品の不揮発性記録媒体に記録された生体認証情報と第２の電子部品から受信した生体認証情報とが一致するか否かを判断し、両者が一致する場合は第１の電子部品の通常動作を許可し、両者が一致しない場合は生体認証情報読取装置による生体認証情報の読み取りを繰り返すかまたは第１の電子部品の通常動作を禁止する。
【００２８】
また、上記課題を解決するため、本発明は、少なくとも不揮発性記録媒体の内蔵された第１ないし第２の電子部品が電気的に接続されかつ第２の電子部品に生体認証情報読取装置が設けられてなる電子機器において、第１の電子部品は、第２の電子部品に設けられた生体認証情報読取装置により生体認証情報を読み取って送信するよう要求し、第１の電子部品の不揮発性記録媒体に記録された生体認証情報と生体認証情報読取装置により読み取られた生体認証情報とが一致するか否かを判断し、両者が一致する場合は第２の電子部品の識別情報を読み出して第１の電子部品の不揮発性記録媒体に記録し、両者が一致しない場合は第２の電子部品の識別情報を読み出して第１の電子部品の不揮発性記録媒体に記録された第２の電子部品の識別情報と一致するか否かを判断し、両者が一致する場合は生体認証情報読取装置により読み取られた生体認証情報を第１の電子部品の不揮発性記録媒体に記録する。
【００２９】
また、上記課題を解決するため、本発明は、少なくとも不揮発性記録媒体の内蔵された第１ないし第３の電子部品が電気的に接続されてなる電子機器において、第１の電子部品の不揮発性記録媒体に第２の電子部品または第３の電子部品の識別情報が記録されていなければ、第１の電子部品は第２の電子部品または第３の電子部品の識別情報を記録し、第１の電子部品の不揮発性記録媒体に第２の電子部品または第３の電子部品の識別情報が記録されていれば、第２の電子部品または第３の電子部品から第２の電子部品の識別情報または第３の電子部品の識別情報を読み出し、第１の電子部品の不揮発性記録媒体に記録された第２の電子部品の識別情報または第３の電子部品と、読み出された第２の電子部品の識別情報または第３の電子部品とが一致するか否かを判断し、第１の電子部品の不揮発性記録媒体に記録された第２の電子部品の識別情報と読み出された第２の電子部品の識別情報とが一致する場合は、第１の電子部品の不揮発性記録媒体に記録された第２の電子部品の識別情報に対応づけて記録されている日時を現在日時に更新して記録するとともに第１の電子部品の通常動作を許可し、第１の電子部品の不揮発性記録媒体に記録された第３の電子部品の識別情報と読み出された第３の電子部品の識別情報とが一致する場合は、第１の電子部品の不揮発性記録媒体に記録された第３の電子部品の識別情報に対応づけて記録されている日時を現在日時に更新して記録するとともに第１の電子部品の通常動作を許可し、第１の電子部品の不揮発性記録媒体に記録された第２の電子部品の識別情報と読み出された第２の電子部品の識別情報とが一致しない場合は、第１の電子部品の不揮発性記録媒体に記録された第２の電子部品の識別情報に対応づけられて記録されている日時と現在日時との差が所定期間以上であるか否かを判断し、所定期間以上の差がある場合は第１の電子部品の通常動作を禁止し、所定期間以上の差がない場合は第１の電子部品の通常動作を許可し、第１の電子部品の不揮発性記録媒体に記録された第３の電子部品の識別情報と読み出された第３の電子部品の識別情報とが一致しない場合は、第１の電子部品の不揮発性記録媒体に記録された第３の電子部品の識別情報に対応づけられて記録されている日時と現在日時の差が所定期間以上であるか否かを判断し、所定期間以上の差がある場合は第１の電子部品の通常動作を禁止し、所定期間以上の差がない場合は第１の電子部品の通常動作を許可する。
【発明の効果】
【００３０】
本発明によると、第１の電子部品を、第２の電子部品の識別情報、第３の電子部品の識別情報、生体認証情報あるいはパソコンの識別情報で認証でき、ユーザが暗証番号を手入力したりする作業は必要ない。
【発明を実施するための最良の形態】
【００３１】
以下、添付図面に従い、本発明の好ましい実施の形態について説明する。
【００３２】
＜第１実施形態＞
図１は、本発明が適用されたカメラシステムの外観構成を示す。同図に示すように、このカメラシステム１０は、レンズユニット１２とカメラ本体１４とで構成されている。
【００３３】
レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに装着することにより、カメラ本体１４に着脱自在に取り付けられる。
【００３４】
なお、レンズマウント１２Ａと本体マウント１４Ａには、それぞれレンズマウント接点１２ａと本体マウント接点１４ａとが設けられており（図１では本体マウント接点１４ａのみ図示）、レンズマウント１２Ａを本体マウント１４Ａに装着すると、互いの接点が接触して導通する。
【００３５】
また、本体マウント１４Ａには、図示しないレンズ検出端子が設けられており、このレンズ検出端子により、レンズマウント１２Ａが本体マウント１４Ａに装着されたことが検出できるようにされている。
【００３６】
レンズユニット１２は、後述するように、撮像素子などを内蔵している。
【００３７】
カメラ本体１４の正面には、ストロボ１８やマイクロホン１９等が設けられており、上面には、レリーズボタン２０、電源スイッチ２２、モードダイヤル２４等が設けられている。
【００３８】
レリーズボタン２０は、撮影指示を入力するボタンとして機能し、いわゆる「半押し」と「全押し」の二段式で構成されている。カメラシステム１０は、このレリーズボタン２０の半押しでＡＥ（Automatic Exposure：自動露出）、ＡＦ（Auto Focus：自動焦点合わせ）が機能し、全押しで撮影が実行される。
【００３９】
電源スイッチ２２は、スライド式のスイッチで構成されており、この電源スイッチ２２のスライド操作でカメラシステム１０の電源がＯＮ／ＯＦＦされる。
【００４０】
モードダイヤル２４は、回転式のダイヤルで構成されており、カメラシステム１０のモードを切り換える手段として機能する。カメラシステム１０は、このモードダイヤル２４を回転操作することにより、「撮影モード」と「再生モード」に切り換えられる。
【００４１】
図２は、カメラシステム１０の電気的構成を示すブロック図である。同図に示すように、レンズユニット１２は、撮影光学系１００、撮影光学系駆動／撮影光学系制御部１０２、撮像素子（ＣＣＤ）１０８、アナログ信号処理部１１０、Ａ／Ｄ変換器１１２、信号処理回路１１３、積算回路１１４、タイミングジェネレータ（ＴＧ）１１６、レンズＣＰＵ１１８、ＲＯＭ、ＲＡＭからなるレンズシステムメモリ１２０、レンズ不揮発性メモリ１２２、レンズ通信部としてＵＡＲＴ（低速シリアルドライバ）１４０および高速シリアルドライバ１４２、電源制御部１２６、ＤＣ／ＤＣ変換器１２８、レンズマウント接点１２ａ等で構成されている。
【００４２】
一方、カメラ本体１４は、本体ＣＰＵ２００、操作部（モードダイヤル２４等）２０２、ワークメモリであるＲＡＭ２０４、本体フラッシュＲＯＭ２０６、本体システムメモリであるＲＯＭ２０７、圧縮伸張回路２０９、本体通信部としてＵＡＲＴ（低速シリアルドライバ）２４０および高速シリアルドライバ２４２、カードインターフェイス（Ｉ／Ｆ）２１６、メモリカードスロット２１５、メモリカード２２０、ＬＣＤ制御部２２６、ＬＣＤモニタ２６、ストロボ制御部２３４、ストロボ１８、電源制御部２３６、バッテリ２３８、ＤＣ／ＤＣ変換器２３９、本体マウント接点１４ａ等で構成されている。
【００４３】
デジタルカメラ全体の動作は、本体ＣＰＵ２００によって統括制御されており、本体ＣＰＵ２００は、操作部２０２からの入力に基づき所定の制御プログラムに従ってカメラシステム１０の各部を制御する。本体システムメモリであるＲＯＭ２０７には、この本体ＣＰＵ２００が、実行する制御プログラム、制御に必要な各種データが記録されている。本体ＣＰＵ２００は、このＲＯＭ２０７に格納された制御プログラムに従い、ＲＡＭ２０４を作業領域としながらデジタルカメラの各部を制御する。
【００４４】
フラッシュＲＯＭ２０６には、カメラに一意的な情報であるカメラＩＤが格納される。
【００４５】
なお、レンズＣＰＵ１１８は、本体ＣＰＵ２００からの指令に従いレンズユニット１２の動作を統括制御する。レンズシステムメモリ１２０のＲＯＭには、このレンズＣＰＵ１１８が、実行する制御プログラム、制御に必要な各種データが記録されている。レンズＣＰＵ１１８は、このレンズシステムメモリ１２０のＲＯＭに格納された制御プログラムに従い、レンズシステムメモリ１２０のＲＡＭを作業領域としながらレンズユニット１２の各部を制御する。
【００４６】
撮像素子（ＣＣＤ）１０８は、たとえば原色カラーＣＣＤで構成されており、撮影光学系１００によって、その受光面に結像された被写体の光学像を電気信号に変換する。
【００４７】
アナログ信号処理部１１０は、サンプリングホールド回路、色分離回路、ゲイン調整回路等を含み、ＣＣＤ１０８から出力された画像信号に対して相関二重サンプリング（ＣＤＳ）処理、色分離処理、プリホワイトバランス処理等の所要のアナログ信号処理を施す。
【００４８】
Ａ／Ｄ変換器１１２は、アナログ信号処理部１１０から出力されたアナログの画像信号をデジタルの画像信号に変換して出力する。
【００４９】
デジタル信号処理部１１３は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００５０】
積算回路１１４は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算回路１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、この焦点評価値が極大となる位置にフォーカスレンズを移動させる（いわゆるコントラストＡＦ）。
【００５１】
タイミングジェネレータ（ＴＧ）１１６は、ＣＣＤ１０８、アナログ信号処理部１１０、Ａ／Ｄ変換器１１２、デジタル信号処理部１１３、積算回路１１４にタイミング信号を与え、各部は、このＴＧから与えられるタイミング信号によって同期がとられている。
【００５２】
ＵＡＲＴ１４０は、レンズＣＰＵ１１８の制御の下、レンズマウント接点１２ａ及び本体マウント接点１４ａを介して接続されたカメラ本体側のＵＡＲＴ２４０との間で制御信号（コマンド信号）の送受信を行う。一方、本体側のＵＡＲＴ２４０は、本体ＣＰＵ２００の制御の下、レンズマウント接点１２ａ及び本体マウント接点１４ａを介して接続されたレンズユニット側のＵＡＲＴ１４０との間で制御信号（コマンド信号）の送受信を行う。
【００５３】
高速シリアルドライバ１４２は、レンズＣＰＵ１１８の制御の下、レンズマウント接点１２ａ及び本体マウント接点１４ａを介して接続されたカメラ本体側の高速シリアルドライバ２４２との間で画像ファイルの送信を行う。一方、本体側の高速シリアルドライバ２４２は、本体ＣＰＵ２００の制御の下、レンズマウント接点１２ａ及び本体マウント接点１４ａを介して接続されたレンズユニット側の高速シリアルドライバ２４２との間で画像ファイルの受信を行う。
【００５４】
電源制御部１２６は、レンズＣＰＵ１１８の制御の下、ＤＣ／ＤＣ変換器１２８を制御し、レンズマウント接点１２ａ及び本体マウント接点１４ａを介してカメラ本体１４側のＤＣ／ＤＣ変換器２３９から供給される電力をレンズユニット１２の各部に供給する。
【００５５】
モニタ２６にスルー画像を表示させる場合は、デジタル信号処理部１１３で連続的に生成されたＹＵＶ信号が、高速シリアルドライバ１４２および２４２を介して順次ＲＡＭ２２２に加えられる。ＬＣＤ制御部２２６は、このＲＡＭ２２２に加えられたＹＵＶ信号を表示用の信号形式に変換して順次モニタ２６に出力する。これにより、モニタ２６にスルー画像が表示され、モニタ２６をファインダとして使用しながらの撮影が可能になる。
【００５６】
ＯＳＤ部２２４は、キャクタジェネレータを含み、本体ＣＰＵ２００の制御の下、モニタ２６に表示するための文字、記号等をＬＣＤ制御部２２６に出力する。ＬＣＤ制御部２２６は、このＯＳＤ部２２４から出力された文字等を画像に重ねてモニタ２６に出力する。
【００５７】
画像を記録する場合は、デジタル信号処理部１１３において、ＹＵＶ信号が所定の圧縮フォーマット（たとえば、ＪＰＥＧ）で圧縮される。圧縮された画像データは、撮影日時や撮影条件（絞り値、シャッタスピード、感度等）等の所要の付属情報が付加された画像ファイルとされた後、カードＩ／Ｆ２１６を介してメモリカードスロット２１８に装着されたメモリカード２２０に格納される。この際、画像ファイルは、所定の規則に従ってメモリカード２２０の記憶領域に格納される。
【００５８】
マイクロホン１９は集音した音声に基づいて音声信号を出力し、マトリクス回路２０７に送る。マトリクス回路２０７では、音声信号のＬ（Ｌｅｆｔ）信号及びＲ（Ｒｉｇｈｔ）信号が作り出される。Ｌ信号とＲ信号はそれぞれ音声記録処理回路２１１でデジタル音声信号に変換されて所定のファイル形式（ＭＰ３など）で動画と同期して記録されるか、単独の音声ファイルとして記録される。
【００５９】
タイマ２０８は、本体ＣＰＵ２００からの指令に基づいて時間を計測し、カレンダ時計２１０は、本体ＣＰＵ２００からの指令に基づいて現在の年月日及び時刻を計測する。
【００６０】
ストロボ制御部２３４は、本体ＣＰＵ２００の制御の下、ストロボ１８の発光を制御する。
【００６１】
電源制御部２３６は、本体ＣＰＵ２００の制御の下、ＤＣ／ＤＣ変換器２３９を制御し、バッテリ２３８から供給される電力をカメラ本体１４の各部及びレンズユニット１２に供給する。
【００６２】
本体ＣＰＵ２００はＩ／Ｏ２３１を介してスイッチ／ＬＥＤ２３２に制御信号を送り、ＬＥＤの発光パターン、発光タイミング、発光時間、発光量を制御する。
【００６３】
レンズユニット１２をカメラ本体１４に装着し、電源スイッチ２２でカメラシステム１０の電源をＯＮする。このとき、カメラのモードが撮影モードに設定されてない場合は、モードダイヤル２４で撮影モードに設定する。
【００６４】
この状態で被写体に撮影レンズを向け、レリーズボタン２０を半押しすると、操作部２０２から本体ＣＰＵ２００にＳ１ＯＮ信号が出力され、ＡＥ／ＡＦ処理が実行される。すなわち、主要被写体にピントが合わせられるとともに露出が決定される。
【００６５】
この後、レリーズボタン２０が全押しされると、操作部２０２から本体ＣＰＵ２００にＳ２ＯＮ信号が出力され、撮影処理が実行される。すなわち、決定された露出でＣＣＤ１０８が露光され、露光により得られた画像信号が、アナログ信号処理部１１０、Ａ／Ｄ変換器１１２を介してデジタル信号処理部１１３に送られる。デジタル信号処理部１１３では、所要の信号処理が施されてＹＵＶ信号に変換される。生成されたＹＵＶ信号は、更にデジタル信号処理部１１３で圧縮処理が施されて圧縮画像データとされた後、所要の付属情報が付加された画像ファイルとして高速シリアルドライバ１４２および２４２を介してメモリカード２２０に記録される。
【００６６】
このようにしてメモリカード２２０に記録された画像ファイルは、モードダイヤル２４にてカメラのモードを再生モードに設定することにより、メモリカード２２０から読み出され、モニタ２６に再生表示される。
【００６７】
すなわち、モードダイヤル２４を再生モードに設定すると、最後に記録された画像ファイルの圧縮画像データがメモリカード２２０から読み出され、圧縮伸張処理部２０９に加えられる。圧縮伸張処理部２０９は、入力された圧縮画像データに所要の伸張処理を施して非圧縮のＹＵＶデータを生成する。生成されたＹＵＶデータは、ＲＡＭ２２２に加えられ、ＬＣＤ制御部２２６で表示用の信号形式に変換されて、モニタ２６に出力される。これにより、撮影済み画像がモニタ２６に再生表示される。
【００６８】
なお、コマ送りの操作を行うと、次の画像がメモリカード２２０から読み出され、コマ戻しの操作を行うと、一つ前の画像がメモリカード２２０から読み出されて、モニタ２６に再生表示される。
【００６９】
撮影により得られた画像ファイルをメモリカード２２０に記録する際、所定の規則に従ってメモリカード２２０の記憶領域に格納される。上記では、デジタル信号処理部１１３が圧縮したＪＰＥＧ形式の画像ファイルを作成したが、圧縮していないＲＡＷ形式のファイルを作成してもよい。
【００７０】
図３は不揮発性メモリ１２２に記憶されるＩＤ表であるカメラＩＤテーブルの概念説明図である。このカメラＩＤテーブルは、カメラ本体１４に固有の識別情報であるカメラＩＤおよびカメラＩＤの個数を含んでいる。
【００７１】
次に、本実施の形態のカメラシステム１０の動作について説明する。
【００７２】
図４は本発明に係る盗難防止処理の流れを示すフローチャートである。この処理はレンズユニット１２がカメラ本体１４に取り付けられたことに応じてレンズＣＰＵ１１８が実行する。
【００７３】
Ｓ１では、フラッシュＲＯＭ２０６にカメラＩＤが記憶されていればそのカメラＩＤ、およびメモリカード２２０にメディアＩＤが記憶されていればそのメディアＩＤを送信するようカメラ本体１４に要求する。カメラ本体１４からカメラＩＤ、メディアＩＤが送信されると、これを受信してＲＡＭ１２０に取り込む。
【００７４】
Ｓ２では、不揮発性メモリ１２２にカメラＩＤが記憶されているか否かを判断する。記憶されている場合はＳ４、記憶されていない場合はＳ３に移行する。
【００７５】
Ｓ３では、受信したカメラＩＤを不揮発性メモリ１２２に記憶する。
【００７６】
Ｓ４では、不揮発性メモリ１２２のカメラＩＤの各々とカメラ本体１４から受信したカメラＩＤとを照合し、受信したカメラＩＤがＩＤ表に存在するカメラＩＤと一致するか否かを判断する。受信したカメラＩＤがＩＤ表のカメラＩＤと一致する場合はＳ５、一致しない場合はＳ６へ移行する。
【００７７】
Ｓ５では、カメラ本体からメディアＩＤを受信したか否かを判断する。受信した場合はＳ６へ移行し、受信していない場合は操作可能状態へ遷移する。操作可能状態とは、操作部２０２の操作に基づいて撮影、再生、記録など通常のカメラ動作が実行できる状態を指す。
【００７８】
Ｓ６では、メディアＩＤを不揮発性メモリ１２２に記憶する。その後、操作可能状態へ遷移する。
【００７９】
Ｓ７では、カメラ本体からメディアＩＤを受信したか否かを判断する。受信した場合はＳ８へ移行し、受信していない場合は操作禁止状態へ遷移する。操作禁止状態とは、操作部２０２の操作に基づいて撮影、再生、記録など通常のカメラ動作が実行できない状態を指す。
【００８０】
Ｓ８では、不揮発性メモリ１２２のメディアＩＤの各々とカメラ本体１４から受信したメディアＩＤとを照合し、受信したメディアＩＤがＩＤ表に存在するメディアＩＤと一致するか否かを判断する。受信したメディアＩＤがＩＤ表のメディアＩＤと一致する場合はＳ９、一致しない場合は操作禁止状態へ遷移する。
【００８１】
Ｓ９では、カメラＩＤを不揮発性メモリ１２２に記憶する。その後、操作可能状態へ遷移する。
【００８２】
このフローチャートに従った動作は以下のようになる。
【００８３】
レンズユニット１２の不揮発性メモリ１２２にカメラＩＤまたはメディアＩＤが記録されていなければ、カメラＩＤまたはメディアＩＤを記録し（Ｓ３、Ｓ６またはＳ９）、それ以降は操作可能状態へ遷移する。
【００８４】
レンズユニット１２の不揮発性メモリ１２２にカメラＩＤまたはメディアＩＤが記録されていれば、受信したカメラＩＤまたはメディアＩＤと照合する（Ｓ４、Ｓ８）。そして、記録されたカメラＩＤと受信したカメラＩＤとが一致すれば、受信したメディアＩＤを不揮発性メモリ１２２に追加記録し（Ｓ６）、操作可能状態へ遷移する。記録されたメディアＩＤと受信したメディアＩＤとが一致すれば、受信したカメラＩＤを不揮発性メモリ１２２に追加記録し（Ｓ９）、操作可能状態へ遷移する。記録されたカメラＩＤと受信したカメラＩＤとが一致せず、かつ記録されたメディアＩＤと受信したメディアＩＤとが一致しなければ（Ｓ４で不一致、Ｓ８で不一致）、操作禁止状態へ遷移する。
【００８５】
すなわち、仮にレンズユニット１２が盗難されても、カメラ本体１４、あるいはメモリカード２２０に記録された識別情報とレンズユニット１２に記録された識別情報とが一致しない限り、操作可能状態へ遷移しない。このため、高価なレンズユニット１２が盗難されて不正に利用されるのを防ぎ、無意味な盗難を防止することが可能である。
【００８６】
＜第２実施形態＞
図５は、本発明が適用されたカメラシステムの外観構成を示す。同図に示すように、このカメラシステム１０は、レンズユニット１２とカメラ本体１４とで構成されている。
【００８７】
カメラ本体１４は、その正面に、ユーザの指紋の特徴量を検出する指紋認証装置２５０を備えている。指紋認証装置２５０は、指紋その他の物体を被写体として撮影するＣＣＤやＣＭＯＳ等の撮像素子で構成され、被写体の撮像信号をデジタル画像データに変換してＲＡＭ２２２に出力する。指紋認証装置２５０から出力された画像データを指紋情報と呼ぶ。指紋認証装置２５０の被写体は指紋であるものとして説明するが、指紋情報をその他各種の身体的特徴部分（虹彩、掌紋など）に基づいて得られる各種の生体認証情報で置換しうることは当業者にとって自明である。
【００８８】
カメラ本体１４の上部には、指紋認証装置２５０による撮像信号の取り込み開始を指示する指紋認証開始ボタン２１が設けられている。指紋認証装置２５０は、指紋認証開始ボタン２１の押下に応じて指紋情報の取り込みを開始する。その他の構成部分は図１と同様であるため説明は省略する。
【００８９】
図６は第２実施形態に係るカメラシステム１０の電気的構成を示すブロック図である。この図に示すように、指紋認証開始ボタン２１は押下の検出信号を指紋認証装置２５０に送り、指紋認証装置２５０はこの検出信号を受信したことに応じて指紋情報の取り込みと出力を行う。
【００９０】
以下、特に断らない限り、カメラシステム１０の各ブロックの構成および機能は第１実施形態の図２と同様であるものとして説明を省略する。
【００９１】
図７は第２実施形態に係るＩＤ表である指紋情報テーブルの内容を示す。このＩＤ表は、システムメモリ１２０に記録されており、予めカメラ本体１４から送られた正規のユーザの指紋情報、およびその指紋情報の個数を含んでいる。ただし、第１実施形態の盗難防止処理のステップＳ３またはＳ９がすでに実行されていれば、カメラＩＤを含むＩＤ表も不揮発性メモリ１２２に合わせて記録される。すなわち、カメラＩＤテーブルと指紋情報テーブルとは併存する場合もあるし、いずれか一方が単独で記憶される場合もある。
【００９２】
図８は第２実施形態に係る盗難防止処理の流れを示すフローチャートである。この処理はレンズユニット１２がカメラ本体１４に取り付けられたことに応じてレンズＣＰＵ１１８が実行する。
【００９３】
Ｓ１１では、カメラ本体１４のフラッシュＲＯＭ２０６にカメラＩＤが記憶されていればそのカメラＩＤをカメラ本体１４から受信してＲＡＭ１２０に取り込む。
【００９４】
Ｓ１２では、不揮発性メモリ１２２にカメラＩＤテーブルが記憶されているか否かを判断する。記憶されている場合はＳ１４、記憶されていない場合はＳ１３に移行する。
【００９５】
Ｓ１３では、受信したカメラＩＤを含んだカメラＩＤテーブルを不揮発性メモリ１２２に記憶する。
【００９６】
Ｓ１４では、不揮発性メモリ１２２のカメラＩＤの各々とカメラ本体１４から受信したカメラＩＤとを照合し、受信したカメラＩＤがＩＤ表のカメラＩＤと一致するか否かを判断する。一致する場合はＳ１５、一致しない場合はＳ１８へ移行する。
【００９７】
Ｓ１５では、指紋認証開始ボタン２１の押下をメッセージ表示や音声ガイダンスなどで促す。指紋認証装置２５０は指紋認証開始ボタン２１の押下に応じて指紋情報をＲＡＭ２０４に出力する。本体ＣＰＵ２００は、ＲＡＭ２０４の指紋情報を高速シリアルドライバ２４２、１４２を介してレンズユニット１２に送信する。レンズＣＰＵ１１８は、受信した指紋情報をＲＡＭ１２０に記憶する。
【００９８】
Ｓ１６では、ＲＡＭ１２０に記憶された指紋情報が正常か否かを判断する。正常な場合はＳ１７へ移行する。正常でない場合はＳ１５に戻り、再び指紋認証開始ボタンの押下を促す。
【００９９】
Ｓ１７では、ＲＡＭ１２０に記憶された指紋情報を含んだ指紋情報テーブルを不揮発性メモリ１２２に記録する。その後、認証処理を終了し、操作可能状態に遷移する。
【０１００】
Ｓ１８では、指紋認証開始ボタン２１の押下をメッセージ表示や音声ガイダンスなどで促す。指紋認証装置２５０は指紋認証開始ボタン２１の押下に応じて指紋情報をＲＡＭ２２に出力する。この指紋情報は高速シリアルドライバ２４２、１４２を介してレンズユニット１２に送信される。レンズＣＰＵ１１８は、受信した指紋情報をＲＡＭ１２０に記憶する。
【０１０１】
Ｓ１９では、カメラ本体１４から受信した指紋情報が正常であるか否かを判断する。正常である場合はＳ２１へ移行する。正常でない場合はＳ１８に戻る。
【０１０２】
Ｓ２０では、不揮発性メモリ１２２の指紋情報の各々とカメラ本体１４から受信した指紋情報とを照合し、受信した指紋情報がＩＤ表の指紋情報と一致するか否かを判断する。一致する場合はＳ２１、一致しない場合は操作禁止状態へ移行する。
【０１０３】
Ｓ２１では、受信したカメラＩＤを含んだカメラＩＤテーブルを不揮発性メモリ１２２に記憶する。その後、操作可能状態に遷移する。
【０１０４】
本フローチャートに従った動作は以下のようになる。
【０１０５】
レンズユニット１２の不揮発性メモリ１２２に何らＩＤや生体認証情報が記録されていなければ、レンズユニット１２のレンズＣＰＵ１１８は、カメラ本体１４から受信したカメラＩＤまたは指紋情報を不揮発性メモリ１２２に記録する（Ｓ１３、Ｓ１７）。その後レンズユニット１２は操作可能状態に遷移する。
【０１０６】
レンズユニット１２の不揮発性メモリ１２２にＩＤのみが記録されているか、ＩＤと生体認証情報の両方が記録されている場合、レンズユニット１２のレンズＣＰＵ１１８は、接続されたカメラ本体１４のカメラＩＤを受信し、受信したカメラＩＤと不揮発性メモリ１２２のカメラＩＤとを照合する（Ｓ１４）。両者が一致していれば、読み取ることのできた指紋情報を不揮発性メモリ１２２に記録する（Ｓ１７）。受信したカメラＩＤと不揮発性メモリ１２２のカメラＩＤが一致していないが、生体認証情報が不揮発性メモリ１２２に記録されていれば、記録された生体認証情報とカメラ本体１４から受信した生体認証情報が照合される。両者が一致していれば、受信したカメラＩＤを不揮発性メモリ１２２に記録する。両者が一致していなければ、操作禁止状態へ遷移する。
【０１０７】
レンズユニット１２の不揮発性メモリ１２２に生体認証情報が記録されていれば、レンズユニット１２のレンズＣＰＵ１１８は、指紋認証装置２５０によって生体認証情報を読み取り、読み取られた生体認証情報と不揮発性メモリ１２２の生体認証情報とを照合する。両者が一致していれば、受信したカメラＩＤを不揮発性メモリ１２２に記録する。両者が一致していなければ、操作禁止状態へ遷移する。
【０１０８】
仮にレンズユニット１２が盗難されても、カメラ本体１４から読み取られたＩＤとレンズユニット１２に記録されたＩＤが一致しなければ、生体認証情報で認証を受けない限り、操作可能状態へ遷移しない。このため、高価なレンズユニット１２が盗難されて不正に利用されるのを効果的に防ぐことが可能である。一方、カメラ本体１４から読み取られたＩＤとレンズユニット１２に記録されたＩＤが一致していれば、読み取られた生体認証情報が記録された上で操作可能状態となる。
【０１０９】
一方、真正なユーザの指紋情報を任意に追加するためには、以下のような動作を行う。
【０１１０】
図９は認証処理の流れを示すフローチャートである。この処理は、指紋認証開始ボタン２１が任意に押下されたことに応じて開始する。
【０１１１】
Ｓ３１では、指紋認証装置２５０は指紋認証開始ボタン２１の押下に応じて指紋情報を取り込み、ＲＡＭ２０４に出力する。本体ＣＰＵ２００は、ＲＡＭ２０４の指紋情報を高速シリアルドライバ２４２、１４２を介してレンズユニット１２に送信する。レンズＣＰＵ１１８は、受信した指紋情報をＲＡＭ１２０に記憶する。
【０１１２】
Ｓ３２では、不揮発性メモリ１２２の指紋情報の各々とカメラ本体１４から受信した指紋情報とを照合し、受信した指紋情報がＩＤ表の指紋情報と一致するか否かを判断する。一致する場合はＳ３３、一致しない場合はＳ３５へ移行する。
【０１１３】
Ｓ３３では、カメラＩＤを送信するようカメラ本体１４に要求する。カメラＩＤを受信するとＲＡＭ１２０に取り込む。
【０１１４】
Ｓ３４では、カメラＩＤを不揮発性メモリ１２２に記憶する。その後、操作可能状態へ遷移する。
【０１１５】
Ｓ３５では、カメラＩＤをカメラ本体１４から受信してＲＡＭ１２０に取り込む。
【０１１６】
Ｓ３６では、不揮発性メモリ１２２のカメラＩＤの各々とカメラ本体１４から受信したカメラＩＤとを照合し、受信したカメラＩＤがＩＤ表のカメラＩＤと一致するか否かを判断する。一致する場合はＳ３７に移行する。一致しない場合は操作可能状態に遷移する。一致しない場合は操作禁止状態に遷移してもよい。
【０１１７】
Ｓ３７では、ＲＡＭ１２０に記憶された指紋情報を含んだ指紋情報テーブルを不揮発性メモリ１２２に記憶する。その後、操作可能状態に遷移する。
【０１１８】
このように、ユーザによる指紋認証開始ボタン２１の押下に応じて、適宜、新規のカメラＩＤあるいは新規の指紋情報をレンズユニット１２の不揮発性記録媒体１２２に記録することができる。
【０１１９】
＜第３実施形態＞
図１０は、本発明が適用されたカメラシステムの外観構成を示す。同図に示すように、このカメラシステム１０は、レンズユニット１２、カメラ本体１４、およびパソコン１５で構成されている。パソコン１５とカメラ本体１４とはＵＳＢコネクタなどの通信ポートを介して接続されている。パソコン１５以外の各構成部分は第１実施形態と同一の符合を付しており、その機能も第１実施形態と同様である。
【０１２０】
図１１は、カメラシステム１０の電気的構成を示すブロック図である。同図に示すように、パソコン１５とカメラ本体１４はそれぞれＵＳＢコネクタ３０１、２５１を備えており、コネクタに差し込まれたケーブルを介してデータを送受信する。カメラ本体１４は、ＵＳＢコネクタ２５１経由でパソコン１５から受信したデータをカメラ本体１４側で受け入れ可能な信号形式に変換するＵＳＢドライバ２５２を備えている。同様に、パソコン１５は、ＵＳＢコネクタ３０１経由でカメラ本体１４から受信したデータをパソコン１５側で受け入れ可能な信号形式に変換するＵＳＢドライバ３０２を備えている。
【０１２１】
パソコン１５は、各種情報処理に必要な演算手段・記憶手段である本体ＣＰＵ３００、ＲＡＭ３０３、ＲＯＭ３０４を備えている。ＲＯＭ３０４は、パソコン１５に固有のＩＤであるパソコンＩＤを記憶している。
【０１２２】
図１２は第３実施形態に係るＩＤ表であるパソコンＩＤテーブルの内容を示す。このＩＤ表は、カメラ本体１４の不揮発性記録媒体２５０に記憶されており、レンズＩＤないしパソコンＩＤ（まとめてＩＤで示すこともある）およびそのＩＤの更新日時、ＩＤの個数を含む。
【０１２３】
図１３は本発明に係る盗難防止処理の流れを示すフローチャートである。この処理はレンズユニット１２がカメラ本体１４に取り付けられたことに応じてカメラ本体ＣＰＵ２００が実行する。
【０１２４】
Ｓ４１では、レンズユニット１２からレンズＩＤを受信するとともに、現在日時をカレンダ時計２１０から読み取る。
【０１２５】
Ｓ４２では、不揮発性メモリ２５０にレンズＩＤが記憶されているか否かを判断する。記憶されていない場合はＳ４３、記憶されている場合はＳ４４に移行する。
【０１２６】
Ｓ４３では、レンズＩＤとカレンダ時計２１０から読み取った現在日時とを対応づけて不揮発性メモリ１２２のＩＤ表に追加記憶する。その後Ｓ５２へ移行する。
【０１２７】
Ｓ４４では、不揮発性メモリ２５０のＩＤ表に含まれるレンズＩＤの各々とレンズユニット１２から受信したレンズＩＤとを照合し、受信したレンズＩＤがＩＤ表のレンズＩＤと一致するか否かを判断する。一致する場合はＳ４５、一致しない場合はＳ４６へ移行する。
【０１２８】
Ｓ４５では、不揮発性メモリ１２２に記憶されレンズＩＤに対応した日時を、Ｓ４１で読み取った現在日時に更新する。その後Ｓ５２へ移行する。
【０１２９】
Ｓ４６では、コネクタ２５１を介してパソコン１５と接続されているか否かを判断する。接続されている場合はＳ４７へ移行し、接続されていない場合はＳ５０へ移行する。
【０１３０】
Ｓ４７では、パソコン１５に対してパソコンＩＤを送信するよう要求する。パソコン１５はこの要求を受信すると、ＲＯＭ３０４に記憶されているパソコンＩＤをカメラ本体１４に送信する。
【０１３１】
Ｓ４８では、不揮発性メモリ２５０のＩＤ表に含まれるパソコンＩＤの各々とのパソコン１５から受信したパソコンＩＤとを照合し、受信したパソコンＩＤがＩＤ表のパソコンＩＤと一致するか否かを判断する。一致する場合はＳ４９、一致しない場合はＳ５０へ移行する。
【０１３２】
Ｓ４９では、Ｓ４８で一致すると判断されたパソコンＩＤに対応する日時を、Ｓ４１で読み取った日時に更新する。そして、操作可能状態に遷移する。
【０１３３】
Ｓ５０では、ＩＤ表に含まれるパソコンＩＤに対応する日時のうち最新の日時とＳ４１で読み取った現在の日時の差を算出する。
【０１３４】
Ｓ５１は、Ｓ５０で算出した差が所定の閾値以上、例えば１週間以上であるか否かを判断する。所定の閾値未満である場合は操作可能状態へ遷移し、所定の閾値以上である場合は操作禁止状態へ遷移する。
【０１３５】
Ｓ５２では、コネクタ２５１を介してパソコン１５と接続されているか否かを判断する。接続されている場合はＳ５３へ移行し、接続されていない場合は操作可能状態へ遷移する。
【０１３６】
Ｓ５３では、パソコン１５に対してパソコンＩＤを送信するよう要求する。パソコン１５はこの要求を受信すると、ＲＯＭ３０４に記憶されているパソコンＩＤをカメラ本体１４に送信する。かつ、現在日時をカレンダ時計２１０から読み取る。
【０１３７】
Ｓ５４では、受信したパソコンＩＤとカレンダ時計２１０から読み取った現在日時とを含んだＩＤ表を不揮発性メモリ２５０に記憶する。
【０１３８】
上記の処理によると、レンズＩＤがカメラ本体１４の不揮発性記録媒体２５０に記録されていなければ、そのレンズＩＤが現在日付とともに記録され（Ｓ４３）、操作可能状態へ遷移する。すなわち、新規に接続されたレンズユニット１２のレンズＩＤは、無条件に記録される。
【０１３９】
レンズＩＤが不揮発性記録媒体２５０に記録されていれば、レンズユニット１２から受信したレンズＩＤと照合され、両者が一致すればそのレンズＩＤに対応する日時が現在日時に更新され（Ｓ４５）、操作可能状態へ遷移する。
【０１４０】
レンズユニット１２から受信したレンズＩＤと不揮発性記録媒体２５０のレンズＩＤとが一致しなくても、不揮発性記録媒体２５０のパソコンＩＤとパソコン１５から受信したパソコンＩＤとが一致すれば、そのパソコンＩＤに対応する日付が現在日付に更新される（Ｓ４９）。
【０１４１】
レンズＩＤの照合でもパソコンＩＤの照合でも不一致と判断されても、パソコンＩＤに対応づけられた日付が所定期間未満であれば操作可能状態へ遷移する（Ｓ５１）。
【０１４２】
レンズＩＤの照合でもパソコンＩＤの照合でも不一致と判断され、かつ、パソコンＩＤに対応づけられた日付が所定期間以上であれば操作禁止状態へ遷移する（Ｓ５１）。このため、一時的な期間に限られるものの、カメラ本体１４のみを真正なユーザ以外の第三者に貸与して使用させることもできる。
【０１４３】
また、パソコンＩＤに対応づけられた日付が所定期間以上であれば操作禁止状態に移行するから、仮にカメラ本体１４が盗難されても、一時的にしか使用できないから、無意味な盗難を防止することができる。
【０１４４】
以上の処理におけるパソコンＩＤとレンズＩＤの役割を逆転させてもよい。図１４はこの場合の盗難防止処理の流れを示すフローチャートである。この処理はカメラ本体１４がパソコン１５に接続されたことに応じてカメラ本体ＣＰＵ２００が実行する。
【０１４５】
Ｓ６１では、パソコンＩＤを受信するとともに、現在日時をカレンダ時計２１０から読み取る。
【０１４６】
Ｓ６２では、不揮発性メモリ２５０にパソコンＩＤが記憶されているか否かを判断する。記憶されていない場合はＳ６３、記憶されている場合はＳ６４に移行する。
【０１４７】
Ｓ６３では、パソコンＩＤとカレンダ時計２１０から読み取った現在日時とを含んだパソコンＩＤ表を不揮発性メモリ２５０に記憶する。その後Ｓ７２へ移行する。
【０１４８】
Ｓ６４では、不揮発性メモリ２５０のパソコンＩＤの各々とパソコン１５から受信したパソコンＩＤとを照合し、受信したパソコンＩＤがＩＤ表のパソコンＩＤと一致するか否かを判断する。一致する場合はＳ６５、一致しない場合はＳ６６へ移行する。
【０１４９】
Ｓ６５では、不揮発性メモリ２５０に記憶されパソコンＩＤに対応した日時を、Ｓ６１で読み取った現在日時に更新する。その後Ｓ７２へ移行する。
【０１５０】
Ｓ６６では、レンズユニット１２がカメラ本体１４に取り付けられているか否かを判断する。取り付けられている場合はＳ６７へ移行し、取り付けられていない場合はＳ７０へ移行する。
【０１５１】
Ｓ６７では、レンズユニット１２に対してレンズＩＤを送信するよう要求する。レンズユニット１２はこの要求を受信すると、不揮発性メモリ１２２に記憶されているレンズＩＤをカメラ本体１４に送信する。
【０１５２】
Ｓ６８では、不揮発性メモリ２５０のレンズＩＤの各々とのレンズユニット１２から受信したレンズＩＤとを照合し、受信したレンズＩＤがＩＤ表のレンズＩＤと一致するか否かを判断する。一致する場合はＳ６９、一致しない場合はＳ７０へ移行する。
【０１５３】
Ｓ６９では、一致すると判断された受信されたレンズＩＤに対応する日時を、Ｓ６１で読み取った日時に更新記録する。そして、操作可能状態に遷移する。
【０１５４】
Ｓ７０では、ＩＤ表に含まれるレンズＩＤに対応する日時のうち最新の日時とＳ６１で読み取った現在の日時の差を算出する。
【０１５５】
Ｓ７１は、Ｓ７０で算出した差が所定の閾値以上、例えば１週間以上であるか否かを判断する。所定の閾値未満である場合は操作可能状態へ遷移し、所定の閾値以上である場合は操作禁止状態へ遷移する。
【０１５６】
Ｓ７２では、レンズユニット１２がカメラ本体１４に取り付けられているか否かを判断する。取り付けられている場合はＳ７３へ移行し、取り付けられていない場合は操作可能状態に遷移する。
【０１５７】
Ｓ７３では、レンズユニット１２に対してレンズＩＤを送信するよう要求する。レンズユニット１２はこの要求を受信すると、不揮発性メモリ１２２に記憶されているレンズＩＤをカメラ本体１４に送信する。
【０１５８】
Ｓ７４では、Ｓ６８で一致すると判断されたレンズＩＤとカレンダ時計２１０から読み取った現在日時と対応づけて不揮発性メモリ２５０に記憶する。
【０１５９】
以上の処理によれば、カメラ本体１４が盗難されても、一定時間が経過していると使えなくなり、盗難による不正使用を防げる。また、カメラ本体１４のみを真正なユーザ以外の第三者に一時的に貸与することもできる。
【図面の簡単な説明】
【０１６０】
【図１】第１実施形態に係るカメラシステムの外観を示す図
【図２】第１実施形態に係るカメラシステムのブロック図
【図３】第１実施形態に係るレンズユニットの不揮発性記録媒体に記録される情報の概念説明図
【図４】第１実施形態に係るレンズユニットの動作の流れを示すフローチャート
【図５】第２実施形態に係るカメラシステムの外観を示す図
【図６】第２実施形態に係るカメラシステムのブロック図
【図７】第２実施形態に係るレンズユニットの不揮発性記録媒体に記録される情報の概念説明図
【図８】第２実施形態に係るレンズユニットの動作の流れを示すフローチャート
【図９】第２実施形態に係るレンズユニットの動作の流れを示すフローチャート
【図１０】第３実施形態に係るカメラシステムの外観を示す図
【図１１】第３実施形態に係るカメラシステムのブロック図
【図１２】第３実施形態に係るカメラ本体の不揮発性記録媒体に記録される情報の概念説明図
【図１３】第３実施形態に係るカメラ本体の動作の流れを示すフローチャート
【図１４】第３実施形態に係るカメラ本体の動作の流れを示すフローチャート
【符号の説明】
【０１６１】
１０…カメラシステム、１２…レンズユニット、１４…カメラ本体、１４ａ…本体側マウント接点、２０…レリーズボタン、２６…ＬＣＤ
【図１】
2007134908.tif 000003
【図２】
2007134908.tif 000004
【図３】
2007134908.tif 000005
【図４】
2007134908.tif 000006
【図５】
2007134908.tif 000007
【図６】
2007134908.tif 000008
【図７】
2007134908.tif 000009
【図８】
2007134908.tif 000010
【図９】
2007134908.tif 000011
【図１０】
2007134908.tif 000012
【図１１】
2007134908.tif 000013
【図１２】
2007134908.tif 000014
【図１３】
2007134908.tif 000015
【図１４】
2007134908.tif 000016